(57)【要約】【課題】ディスプレイボードがプラテンの前方又は後方に傾き、そのディスプレイボードがプラテン上方に配置されたインクジェットヘッド下面に接触した状態となるのを防ぐことのできる、ディスプレイボードプリント用のペーパームービングタイプのインクジェットプリンタを提供する。【解決手段】ディスプレイボード５０をプラテン２０上に搭載して該プラテン２０上を前後方向に移動させるインクジェットプリンタであって、プラテン２０の前方と後方とに、プラテン２０上に搭載されたディスプレイボード５０がプラテン２０前方に傾くのを防ぐための第１支持腕８２と、プラテン２０上に搭載されたディスプレイボード５０がプラテン２０後方に傾くのを防ぐための第２支持腕８４とが、着脱可能に備えられている。【選択図】図４
2008080813.tif 000002
【特許請求の範囲】
【請求項１】
ディスプレイボードをプラテン上に搭載して該プラテン上を前後方向に移動させるインクジェットプリンタであって、
前記プラテンの前方と後方とに、
プラテン前方に突き出たディスプレイボードの前端部分を支持して、そのプラテン前方に突き出たディスプレイボードの前端部分の自重を受けて、プラテン上に搭載されたディスプレイボードがプラテン前方に傾くのを防ぐための第１支持腕と、
プラテン後方に突き出たディスプレイボードの後端部分を支持して、そのプラテン後方に突き出たディスプレイボードの後端部分の自重を受けて、プラテン上に搭載されたディスプレイボードがプラテン後方に傾くのを防ぐための第２支持腕と
が、着脱可能に備えられているディスプレイボードプリント用のインクジェットプリンタ。
【請求項２】
前記ディスプレイボードには、前記ディスプレイボードの前端縁と後端縁とにおける帯状の領域である掴み代部分と、前記前端縁及び前記後端縁の前記掴み代部分の内側における絵図又は文字をプリント可能なディスプレイボード部分との境界線部分に、該ディスプレイボード前端の掴み代部分とそれよりも内側のディスプレイボード部分、及び該ディスプレイボード後端の掴み代部分とそれよりも内側のディスプレイボード部分を分離するための切り込みが設けられており、
前記第１支持腕は、前記ディスプレイボードの前端が前記プラテン前方に突き出た状態になった場合に、前記プラテン前方に突き出た前記ディスプレイボードの前端部分を支持し、
前記第２支持腕は、前記ディスプレイボードの後端が前記プラテン後方に突き出た状態になった場合に、前記プラテン後方に突き出た前記ディスプレイボードの後端部分を支持する請求項１に記載のディスプレイボードプリント用のインクジェットプリンタ。
【請求項３】
前記プラテン上においてディスプレイボードを前後方向に移動させる送りローラを更に備え、
前記送りローラからインクジェットヘッドまでの距離Ｈよりも掴み代部分の幅が大きく設定されている前記ディスプレイボードを、前記プラテン上に搭載する請求項２記載のディスプレイボードプリント用のインクジェットプリンタ。
【発明の詳細な説明】
【技術分野】
【０００１】
本発明は、インクジェットプリンタを用いて絵図又は文字をプリントするインクジェットプリンタ用のディスプレイボードと、該ディスプレイボードに絵図又は文字をプリントするディスプレイボードプリント用のインクジェットプリンタとに関する。
【背景技術】
【０００２】
屋内広告の大型パネル写真等には、１〜２０ｍｍの厚さの発泡スチロール樹脂等からならる厚い板状のディスプレイボード表面に、インクジェットプリンタにより、絵図又は文字がプリントされたものがある。このディスプレイボード表面に絵図又は文字をプリントするインクジェットプリンタには、一般に、フラットベッドタイプのプリンタが用いられる。フラットベッドタイプのプリンタは、図５に示したように、平面状をした広いプラテン面９２を持つベッド９０を備えている。このプリンタによれば、大型で厚い板状のディスプレイボード５０の全体を、ベッド９０の広いプラテン面９２に安定させて搭載して固定できる。次いで、そのプラテン面９２に搭載されたディスプレイボード５０上方をインクジェットヘッド１０をディスプレイボード５０表面とほぼ平行な縦横方向（Ｘ−Ｙ方向）に移動させながら、そのインクジェットヘッド１０下面に並ぶ所定のノズル（図示せず）からインク滴をディスプレイボード５０方向に噴射させて、そのインク滴をディスプレイボード５０表面にドット状に着弾させることができる。そして、複数のインクのドットの配列からなる絵図又は文字をディスプレイボード５０表面の全体に無理なく自在に縁なしプリントできる。
【発明の開示】
【発明が解決しようとする課題】
【０００３】
しかしながら、このフラットベッドタイプのプリンタは、上記のように、広いプラテン面９２を持つ大型のベッド９０を備えているために、その設置場所を大きく占有してしまった。また、大掛かりな大型装置のため、その設備コストが嵩む等の難点があった。
【０００４】
このようなフラットベッドタイプのインクジェットプリンタの難点を解消可能なプリンタとして、ペーパームービングタイプのインクジェットプリンタがある。このペーパームービングタイプのプリンタは、図６に示したように、そのディスプレイボードを搭載するプラテン２０が、前後幅の狭いほぼ蒲鉾状をしている。そのために、その設置場所が狭くて済む。また、小型化でき、その設備コストを抑えることができる。従って、一般に汎用されているインクジェットプリンタには、このペーパームービングタイプが多い。
【０００５】
このペーパームービングタイプのプリンタによれば、図６に示したように、その前後幅（Ｘ方向幅）の狭いプラテン２０上にディスプレイボード５０を搭載して、そのディスプレイボード５０上方をインクジェットヘッド１０をディスプレイボード５０表面とほぼ平行な左右方向（Ｙ方向であって、図６の表裏面方向）に移動させながら、そのインクジェットヘッド１０下面に並ぶ所定のノズル１２からインク滴をディスプレイボード５０方向に噴射させて、そのインク滴をディスプレイボード５０表面にドット状に着弾させたり、そのディスプレイボード５０をプラテン２０上を前後方向（Ｘ方向）に移動させたりできる。そして、そのディスプレイボード５０表面に、複数のインクのドットの配列からなる絵図又は文字をプリントできる。
【０００６】
しかしながら、このペーパームービングタイプのプリンタを用いて、ディスプレイボード表面に絵図又は文字をプリントした場合には、図７に示したように、その前後幅の狭いプラテン２０上に搭載された厚い板状の大型のディスプレイボード５０の前端部又は後端部（図では後端部）が、プラテン２０前方又は後方に長く突き出た状態となった際に、ディスプレイボード５０が、そのプラテン２０前方又は後方に突き出たディスプレイボード５０の前端部又は後端部の自重を受けて、プラテン２０前方又は後方に傾いてしまった。そして、プラテン２０上のディスプレイボード５０部分が、プラテン２０上方に浮き上がって、プラテン２０上方に配置されたインクジェットヘッド１０下面に接触した状態となってしまった。そして、そのプラテン２０上に搭載されたディスプレイボード５０部分表面にインクジェットヘッド１０下面のノズル１２から噴射させたインク滴を的確にドット状に着弾させることが不可能となってしまった。そのために、そのディスプレイボード５０表面に絵図又は文字を的確にプリントできなくなってしまった。
【０００７】
また、このペーパームービングタイプのプリンタを用いてディスプレイボード５０表面に絵図又は文字をプリントした場合には、そのディスプレイボード５０の前端部分と後端部分とに、インクジェットプリンタにより、絵図又は文字をプリント不可能な領域（図示せず）が発生してしまった。また、それに加えて、そのディスプレイボードの前端部分と後端部分とに、インクジェットプリンタにより、絵図又は文字をプリント不可能となる可能性のある不定領域（図示せず）が存在することとなってしまった。このディスプレイボード５０の前端部分と後端部分とに絵図又は文字をプリント不可能な領域が発生する原因を説明すると、図７に示したように、ペーパームービングタイプのプリンタにおいては、ディスプレイボード５０を送りローラ２４と押えローラ２６との間に挟み込んで、送りローラ２４を前後方向（Ｘ方向）に回転させることにより、ディスプレイボード５０をプラテン２０上をその前後方向に移動させているからである。そして、そのディスプレイボード５０を送りローラ２４からＸ方向に距離Ｈだけ離れたインクジェットヘッド１０下面に並ぶノズル１２下方のプラテン２０部分上に送り込んでいるからである。そして、そのインクジェットヘッド下面のノズル１２下方に送り込まれたディスプレイボード５０部分表面に、インクジェットヘッドのノズル１２から噴射されるインク滴により、絵図又は文字をプリントしているからである。そのために、図８に示したように、ディスプレイボード５０の前端縁又は後端縁（図では後端縁）が送りローラ２４と押えローラ２６との間に到達した状態となった後には、それ以上に、そのディスプレイボード５０を、プラテン２０上をインクジェットヘッド１０の下方方向にさらに移動させようとすると、そのディスプレイボード５０が送りローラ２４と押えローラ２６との間から脱落してしまうからである。そして、そのディスプレイボード５０をインクジェットヘッド１０の下方に送り込むことができなくなってしまうからである。その結果、上記Ｈの幅の絵図又は文字をプリント不可能な領域が、そのディスプレイボード５０の前端部分と後端部分とに発生しまうからである。また、ディスプレイボード５０の前端部分と後端部分とに絵図又は文字をプリント不可能となる可能性のある不定領域が存在する原因を説明すると、ディスプレイボード５０をプラテン２０上に搭載してプラテン２０上の所定部位に手動等によりセッティングした際に、そのディスプレイボード５０のセッティング位置が正規の位置からプラテン２０の前後方向（Ｘ方向）に若干ずれてしまう可能性があるからである。その結果、インクジェットプリンタを駆動させるコンピュータが認識している、ディスプレイボード５０表面の絵図又は文字をプリント可能な領域と、プラテン２０上にセッティングされた実際のディスプレイボード５０の絵図又は文字をプリント可能な領域との間に、前後方向（Ｘ方向）の若干のずれが生じてしまう可能性があるからである。
【０００８】
そのために、このペーパームービングタイプのプリンタを用いてディスプレイボード５０表面に絵図又は文字をプリントする場合には、図９に示したように、そのディスプレイボード５０の前端縁と後端縁とに、上記の絵図又は文字をプリント不可能な領域と不定領域とを合わせた帯状の掴み代部分５２を残して、それよりも内側のディスプレイボード部分５４表面に絵図又は文字をプリントしている。そして、その後に、そのディスプレイボード５０の前端と後端の掴み代部分５２を、それよりも内側の絵図又は文字がプリントされたディスプレイボード部分５４から、カッター等により、切り離している。そして、表面全体に絵図又は文字が縁なしプリントされたディスプレイボード５０を得ている。
【０００９】
しかしながら、このディスプレイボードの前端と後端の掴み代部分５２を、それよりも内側の絵図又は文字がプリントされたディスプレイボード部分５４からカッター等により切り離す作業は、多大な手数を要した。そのために、この掴み代部分５２の切り離し作業が、ペーパームービングタイプのインクジェットプリンタを用いたディスプレイボード５０の絵図又は文字のプリント作業の効率を大幅に低下させていた。
【００１０】
本発明は、このような課題に鑑みてなされたもので、ペーパームービングタイプのインクジェットプリンタを用いてディスプレイボード表面に絵図又は文字をプリントした後に、そのディスプレイボードの前端と後端の掴み代部分を、それよりも内側の絵図又は文字がプリントされたディスプレイボード部分から手数を掛けずに容易かつ迅速に切り離すことのできる、ペーパームービングタイプのプリンタ用のディスプレイボード（以下、ディスプレイボードという）を提供することを、第１の目的としている。また、ペーパームービングタイプのインクジェットプリンタを用いてディスプレイボード表面に絵図又は文字をプリントした際に、前後幅の狭いプラテンの前方又は後方に突き出た厚い板状のディスプレイボードの前端部分又は後端部分の自重を受けて、そのディスプレイボードがプラテンの前方又は後方に傾き、そのディスプレイボードがプラテン上方に配置されたインクジェットヘッド下面に接触した状態となるのを防ぐことのできる、ディスプレイボードプリント用のペーパームービングタイプのインクジェットプリンタ（以下、インクジェットプリンタという）を提供することを、第２の目的としている。
【課題を解決するための手段】
【００１１】
上記の第１の目的を達成するために、本発明のディスプレイボードは、ペーパームービングタイプのインクジェットプリンタのプラテン上を前後方向に移動させて、インクジェットヘッドのノズルから噴射されるインク滴により、その表面に複数のインクのドットの配列からなる絵図又は文字をプリントするディスプレイボードであって、そのディスプレイボードの前端と後端の絵図又は文字をプリント不可能な領域と絵図又は文字をプリント不可能となる可能性のある不定領域とを合わせた掴み代部分とそれよりも内側の絵図又は文字をプリント可能なディスプレイボード部分との境界線部分に、該ディスプレイボード前端の掴み代部分とそれよりも内側のディスプレイボード部分、及び該ディスプレイボード後端の掴み代部分とそれよりも内側のディスプレイボード部分を分離するための切り込みが設けらていることを特徴としている。
【００１２】
このディスプレイボードにおいては、ペーパームービングタイプのインクジェットプリンタを用いてディスプレイボード表面に絵図又は文字をプリントした後に、そのディスプレイボードの絵図又は文字がプリントされていない前端と後端の掴み代部分と、それよりも内側の絵図又は文字がプリントされたディスプレイボード部分との、境界線部分に設けられた切り込みを利用して、その切り込みを境に、ディスプレイボード前端と後端の掴み代部分をそれよりも内側のディスプレイボード部分に対してＶ字状等に手等により折り曲げることにより、その掴み代部分をそれよりも内側のディスプレイボード部分からカッター等を用いずに手数を掛けずに容易かつ迅速に分離できる。
【００１３】
本発明のディスプレイボードにおいては、前記切り込みを、ディスプレイボードの境界線部分に、ディスプレイボードの表裏の両側から設けると良い。その場合には、上記のようにして、その切り込みを境に、掴み代部分をそれよりも内側のディスプレイボード部分に対してＶ字状等に手等により折り曲げて、掴み代部分をそれよりも内側のディスプレイボード部分から分離した際に、その掴み代部分が分離されたディスプレイボードの端縁を、カッター等の刃物により切断されたのと同様な、凹凸のない美麗な線状に形成できる。その結果、その掴み代部分が分離されたディスプレイボードの端縁を、カッター等により線状に美麗に修正切断し直す必要がなくなる。
【００１４】
また、本発明のディスプレイボードにおいては、前記ディスプレイボードの境界線部分にディスプレイボードの表裏の両側から設けた切り込みの合計深さを、ディスプレイボードの厚さの約２／３以上であって、かつ、その切り込みを境に前記掴み代部分がそれよりも内側のディスプレイボード部分に対して掴み代部分の自重により折れ曲がらずにその内側のディスプレイボード部分とほぼ平面状に連なった状態に保持される深さとすると良い。その場合には、上記のようにして、その切り込みを境に、掴み代部分をそれよりも内側のディスプレイボード部分に対してＶ字状等に手等により折り曲げて、掴み代部分をそれよりも内側のディスプレイボード部分から分離した際に、その切り込みの合計深さがディスプレイボードの厚さの約２／３以上と深いために、その切り込みを境に、掴み代部分をそれよりも内側のディスプレイボード部分から抵抗なく容易かつ円滑に分離できる。また、切り込みが深くなり過ぎたために、ディスプレイボードのハンドリング途中等に、その切り込みを境に掴み代部分がそれよりも内側のディスプレイボード部分に対して掴み代部分の自重により折れ曲がってしまうのを、防ぐことができる。そして、その掴み代部分がそれよりも内側のディスプレイボード部分から分離してしまたり、あるいは、その掴み代部分をインクジェットプリンタの送りローラと押えローラとの間に的確に挟み込んで、それよりも内側のディスプレイボード部分をプラテン上をインクジェットヘッド下方に的確に送り込めなくなったりするのを、防ぐことができる。
【００１５】
また、本発明のディスプレイボードにおいては、インクジェットプリンタにより絵図又は文字がプリントされるディスプレイボード表面部分に、インクジェットプリント用の受像層が設けられたシートを貼着すると良い。その場合には、そのディスプレイボード表面部分に貼着されたインクジェットプリント用の受像層が設けられたシート表面に、インクジェットヘッドのノズルから噴射させたインク滴を、広く染込ませずに、小径のドット状に着弾させることができる。そして、そのシート表面に、複数のインクのドットの配列からなる滲みのない鮮明な高精度の絵図又は文字をプリントできる。
【００１６】
前記の第２の目的を達成するために、本発明のインクジェットプリンタは、本発明のディスプレイボードをプラテン上に搭載して該プラテン上を前後方向に移動させるペーパームービングタイプのインクジェットプリンタであって、そのプラテンの前方と後方とに、プラテン前方に突き出たディスプレイボードの前端部分を支持して、そのプラテン前方に突き出たディスプレイボードの前端部分の自重を受けて、プラテン上に搭載されたディスプレイボードがプラテン前方に傾くのを防ぐための第１支持腕と、プラテン後方に突き出たディスプレイボードの後端部分を支持して、そのプラテン後方に突き出たディスプレイボードの後端部分の自重を受けて、プラテン上に搭載されたディスプレイボードがプラテン後方に傾くのを防ぐための第２支持腕とが、着脱可能に備えられていることを特徴としている。
【００１７】
このディスプレイボードプリント用のインクジェットプリンタにおいては、厚い板状のディスプレイボードの前端がプラテン前方に突き出た状態となった際に、そのプラテン前方に突き出たディスプレイボードの前端部分を、第１支持腕により支持できる。そして、そのディスプレイボードの前端部分の自重を受けて、プラテン上に搭載されたディスプレイボードが、プラテン前方に傾くのを防ぐことができる。そして、そのディスプレイボードがプラテン上方に配置されたインクジェットヘッド下面に接触した状態となるのを、防ぐことができる。同様にして、厚い板状のディスプレイボードの後端がプラテン後方に突き出た状態となった際には、そのプラテン後方に突き出たディスプレイボードの後端部分を、第２支持腕により支持できる。そして、そのディスプレイボードの後端部分の自重を受けて、プラテン上に搭載されたディスプレイボードが、プラテン後方に傾くのを防ぐことができる。そして、そのディスプレイボードがプラテン上方に配置されたインクジェットヘッド下面に接触した状態となるのを、防ぐことができる。さらに、通常の薄いシート等をプラテン上を前後方向に移動させて、そのシート等の表面にインクジェットヘッドのノズルから噴射されるインク滴により絵図又は文字をプリントする場合には、そのプラテンの前方と後方とに着脱可能に備えられた邪魔となる第１支持腕と第２支持腕とを、プラテン前方と後方とから離脱させることができる。そして、そのインクジェットプリンタを、通常の汎用のインクジェットプリンタに有効利用できる。
【発明を実施するための最良の形態】
【００１８】
図１ないし図３は本発明のディスプレイボードの好適な実施の形態を示し、図１と図２はその一部拡大側面断面図、図３はその平面図である。以下に、このディスプレイボードを説明する。
【００１９】
このディスプレイボード５０は、ペーパームービングタイプのインクジェットプリンタのプラテン２０上を前後方向に移動させるディスプレイボードであって、インクジェットヘッド１０のノズル１２から噴射させるインク滴により、その表面に複数のインクのドットの配列からなる絵図又は文字をプリントするディスプレイボードに使用される。このディスプレイボード５０は、図１と図３に示したように、その前端と後端の絵図又は文字をプリント不可能な領域と絵図又は文字をプリント不可能となる可能性のある不定領域とを合わせた掴み代部分５２とそれよりも内側の絵図又は文字をプリント可能なディスプレイボード部分５４との境界線部分５６に、ディスプレイボード前端の掴み代部分５２とそれよりも内側のディスプレイボード部分５４、及びディスプレイボード後端の掴み代部分５２とそれよりも内側のディスプレイボード部分５４を分離するための切り込み６０が設けらている。
【００２０】
さらに、このディスプレイボード５０においては、その境界線部分５６に切り込み６０がディスプレイボード５０の表裏の両側から設けられていて、その切り込み６０の合計深さが、ディスプレイボード５０の厚さの約２／３以上であって、かつ、その切り込み６０を境にディスプレイボードの掴み代部分５２がそれよりも内側のディスプレイボード部分５４に対して掴み代部分５２の自重により折れ曲がらずにその内側のディスプレイボード部分５４とほぼ平面状に連なった状態に保持される深さになっている。
【００２１】
図１ないし図３に示したディスプレイボードは、以上のように構成されていて、このディスプレイボードにおいては、ペーパームービングタイプのインクジェットプリンタを用いてディスプレイボード５０表面に絵図又は文字をプリントした後に、そのディスプレイボード５０の絵図又は文字がプリントされていない前端と後端の掴み代部分５２と、それよりも内側の絵図又は文字がプリントされたディスプレイボード部分５４との、境界線部分５６に設けられた切り込み６０を利用して、その切り込み６０を境に、ディスプレイボード５０前端と後端の掴み代部分５２をそれよりも内側のディスプレイボード部分５４に対してＶ字状等に手等により折り曲げることにより、図２に示したように、その掴み代部分５２をそれよりも内側のディスプレイボード部分５４からカッター等を用いずに手数を掛けずに容易かつ迅速に分離できる。
【００２２】
また、その切り込み６０が、ディスプレイボードの境界線部分５６に、ディスプレイボード５０の表裏の両側から設けられているために、上記のようにして、その切り込みを境に、掴み代部分５２をそれよりも内側のディスプレイボード部分５４に対してＶ字状等に手等により折り曲げて、掴み代部分５２をそれよりも内側のディスプレイボード部分から分離した際に、その掴み代部分５２が分離されたディスプレイボード５０の端縁を、カッター等の刃物により切断されたのと同様な、凹凸のない美麗な線状に形成できる。その結果、その掴み代部分５２が分離されたディスプレイボード５０の端縁を、カッター等により線状に美麗に修正切断し直す必要がなくなる。
【００２３】
また、このディスプレイボードにおいては、その切り込み６０の合計深さがディスプレイボード５０の厚さの約２／３以上と深いために、その切り込み６０を境に、掴み代部分５２をそれよりも内側のディスプレイボード部分５４から抵抗なく容易かつ円滑に分離できる。また、切り込み６０が深くなり過ぎたために、ディスプレイボード５０のハンドリング途中等において、その切り込み６０を境に掴み代部分５２がそれよりも内側のディスプレイボード部分５４に対して掴み代部分５２の自重により折れ曲がってしまうのを、防ぐことができる。そして、その掴み代部分５２がそれよりも内側のディスプレイボード部分５４から分離してしまたり、あるいは、その掴み代部分５２をインクジェットプリンタの送りローラ２４と押えローラ２６との間に的確に挟み込んで、それよりも内側のディスプレイボード部分５４をプラテン２０上インクジェットヘッド１０下方に的確に送り込めなくなったりするのを、防ぐことができる。
【００２４】
このディスプレイボードにおいては、その掴み代部分５２とそれよりも内側のディスプレイボード部分５４との境界線部分５６に、ディスプレイボード５０の表側又は裏側の一方のみから切り込み６０を設けることも可能である。その場合にも、その切り込み６０を境に、ディスプレイボード５０前端と後端の掴み代部分５２をそれよりも内側のディスプレイボード部分５４に対して切り込み６０側とは反対側にＶ字状等に手等により折り曲げることにより、その掴み代部分５２をそれよりも内側のディスプレイボード部分５４からカッター等を用いずに手数を掛けずに容易かつ迅速に分離できる。
【００２５】
このディスプレイボードにおいては、図１等に示したように、インクジェットプリンタにより絵図又は文字がプリントされるディスプレイボード部分５４表面に、インクジェットプリント用のインク染込み防止用の受像層（図示せず）が設けられたシート７０を貼着すると良い。そして、そのディスプレイボード部分５４表面に貼着されたインクジェットプリント用の受像層が設けられたシート７０表面に、インクジェットヘッドのノズル１２から噴射させたインク滴を、広く染込ませずに、小径のドット状に着弾させることができるようにすると良い。そして、そのシート７０表面に、複数のインクのドットの配列からなる滲みのない鮮明な高精度の絵図又は文字をプリントできるようにすると良い。
【００２６】
図４は本発明のインクジェットプリンタの好適な実施の形態を示し、図４はその側面断面図である。以下に、このインクジェットプリンタを説明する。
【００２７】
このインクジェットプリンタは、図１と図３等に示した本発明のディスプレイボード５０をプラテン２０に上に搭載してそのプラテン２０上を前後方向（Ｘ方向）に移動させるペーパームービングタイプのインクジェットプリンタである。このインクジェットプリンタでは、そのプラテン２０の前方に、プラテン２０前方に突き出たディスプレイボード５０の前端部分を支持して、そのプラテン２０前方に突き出たディスプレイボード５０の前端部分の自重を受けて、プラテン２０上に搭載されたディスプレイボード５０がプラテン２０前方に傾くのを防ぐための第１支持腕８２が、着脱可能に備えられている。同様にして、そのプラテン２０の後方には、プラテン２０後方に突き出たディスプレイボード５０の後端部分を支持して、そのプラテン２０後方に突き出たディスプレイボード５０の後端部分の自重を受けて、プラテン２０上に搭載されたディスプレイボード５０がプラテン２０後方に傾くのを防ぐための第２支持腕８４が、着脱可能に備えられている。具体的には、第１及び第２支持腕８２、８４の後端に延設された突起８６のそれぞれを、それに対応するプラテン２０の前端及び後端の側壁に設けられた係止穴２８に挿入して、係止させることにより、その第１及び第２支持腕８２、８４を、プラテン２０の前端及び後端に装着できるように構成されている。また、第１及び第２支持腕８２、８４の後端に延設された突起８６のそれぞれを、それが挿入、係止されたプラテン２０の前端及び後端の側壁に設けられた係止穴２８から抜き取って、その第１及び第２支持腕８２、８４を、プラテン２０の前端及び後端から離脱させることができるように構成されている。
【００２８】
図４に示したインクジェットプリンタのその他の構成部分は、従来汎用のペーパームービングタイプのインクジェットプリンタと同様に構成されていて、このディスプレイボードプリント用のインクジェットプリンタにおいては、厚い板状のディスプレイボード５０の前端がプラテン２０前方に突き出た状態となった際に、そのプラテン２０前方に突き出たディスプレイボード５０の前端部分を、第１支持腕８２により支持できる。そして、ディスプレイボード５０の前端部分の自重を受けて、そのプラテン２０上に搭載されたディスプレイボード５０が、プラテン２０前方に傾くのを防ぐことができる。そして、そのディスプレイボード５０がプラテン２０上方に配置されたインクジェットヘッド１０下面に接触した状態となるのを、防ぐことができる。同様にして、厚い板状のディスプレイボード５０の後端がプラテン２０後方に突き出た状態となった際には、そのプラテン２０後方に突き出たディスプレイボード５０の後端部分を、第２支持腕８４により支持できる。そして、ディスプレイボード５０の後端部分の自重を受けて、そのプラテン２０上に搭載されたディスプレイボード５０が、プラテン２０後方に傾くのを防ぐことができる。そして、そのディスプレイボード５０がプラテン２０上方に配置されたインクジェットヘッド１０下面に接触した状態となるのを、防ぐことができる。さらに、通常の薄いシート等をプラテン２０上を前後方向に移動させて、そのシート等の表面にインクジェットヘッドのノズル１２から噴射されるインク滴により絵図又は文字をプリントする場合には、そのプラテン２０の前方と後方とに着脱可能に備えられた邪魔となる第１支持腕８２と第２支持腕８４とを、プラテン２０の前方と後方とから離脱させることができる。そして、そのインクジェットプリンタを、通常の汎用のインクジェットプリンタに有効利用できる。
【００２９】
（発明の効果）
以上説明したように、本発明のディスプレイボードによれば、該ディスプレイボード表面に水性顔料あるいは染料インク、油性顔料あるいは染料インク、溶剤顔料あるいは染料インクを使うペーパームービングタイプのインクジェットプリンタを用いて絵図又は文字をプリントした後に、そのディスプレイボードの前端と後端の掴み代部分をそれよりも内側のディスプレイボード部分からカッター等を用いずに手等により手数を掛けずに容易かつ迅速に分離できる。そして、その表面全体に絵図又は文字が縁なしプリントされた屋内宣伝用、広告用等のディスプレイボードを容易に形成可能となる。また、本発明のインクジェットプリンタによれば、厚い板状のディスプレイボードを、ペーパームービングタイプのインクジェットプリンタのプラテン上をプラテン前方又は後方に傾斜させることなく前後方向に的確に移動させることができる。そして、そのディスプレイボード表面にインクジェットヘッドのノズルから噴射されるインクにより絵図又は文字を的確にプリント可能となる。
【図面の簡単な説明】
【００３０】
【図１】本発明のディスプレイボードの一部拡大側面断面図である。
【図２】本発明のディスプレイボードの一部拡大側面断面図である。
【図３】本発明のディスプレイボードの平面図である。
【図４】本発明のインクジェットプリンタの概略構造を示す側面断面図である。
【図５】フラットベッドタイプのインクジェットプリンタの概略構造を示す斜視図である。
【図６】ペーパームービングタイプのインクジェットプリンタの側面断面図である。
【図７】ペーパームービングタイプのインクジェットプリンタの側面断面図である。
【図８】ペーパームービングタイプのインクジェットプリンタの側面断面図である。
【図９】ディスプレイボードの平面図である。
【符号の説明】
【００３１】
１０ インクジェットヘッド
１２ ノズル
２０ プラテン
５０ ディスプレイボード
５２ 掴み代部分
５４ 掴み代よりも内側のディスプレイボード部分
５６ 境界線部分
６０ 切り込み
７０ シート
８２ 第１支持腕
８４ 第２支持腕
９０ ベッド
【図１】
2008080813.tif 000003
【図２】
2008080813.tif 000004
【図３】
2008080813.tif 000005
【図４】
2008080813.tif 000006
【図５】
2008080813.tif 000007
【図６】
2008080813.tif 000008
【図７】
2008080813.tif 000009
【図８】
2008080813.tif 000010
【図９】
2008080813.tif 000011
【手続補正書】
【提出日】平成19年12月26日(2007.12.26)
【手続補正１】
【補正対象書類名】特許請求の範囲
【補正対象項目名】全文
【補正方法】変更
【補正の内容】
【特許請求の範囲】
【請求項１】
ディスプレイボードをプラテン上に搭載して該プラテン上を前後方向に移動させるインクジェットプリンタであって、
前記プラテンの前方と後方とに、
プラテン前方に突き出たディスプレイボードの前端部分を支持して、そのプラテン前方に突き出たディスプレイボードの前端部分の自重を受けて、プラテン上に搭載されたディスプレイボードがプラテン前方に傾くのを防ぐための第１支持腕と、
プラテン後方に突き出たディスプレイボードの後端部分を支持して、そのプラテン後方に突き出たディスプレイボードの後端部分の自重を受けて、プラテン上に搭載されたディスプレイボードがプラテン後方に傾くのを防ぐための第２支持腕と
が、着脱可能に備えられており、
前記第１支持腕及び前記第２支持腕は、前記ディスプレイボードの前端部分及び後端部分を支持して前記ディスプレイボードが前方又は後方へ傾くのを防ぐことにより、前記プラテン上に搭載された前記ディスプレーボードの全体を水平に支持するディスプレイボードプリント用のインクジェットプリンタ。
【請求項２】
前記ディスプレイボードには、前記ディスプレイボードの前端縁と後端縁とにおける帯状の領域である掴み代部分と、前記前端縁及び前記後端縁の前記掴み代部分の内側における絵図又は文字をプリント可能なディスプレイボード部分との境界線部分に、該ディスプレイボード前端の掴み代部分とそれよりも内側のディスプレイボード部分、及び該ディスプレイボード後端の掴み代部分とそれよりも内側のディスプレイボード部分を分離するための切り込みが設けられており、
前記第１支持腕は、前記ディスプレイボードの前端が前記プラテン前方に突き出た状態になった場合に、前記プラテン前方に突き出た前記ディスプレイボードの前端部分を支持し、
前記第２支持腕は、前記ディスプレイボードの後端が前記プラテン後方に突き出た状態になった場合に、前記プラテン後方に突き出た前記ディスプレイボードの後端部分を支持する請求項１に記載のディスプレイボードプリント用のインクジェットプリンタ。
【請求項３】
前記プラテン上においてディスプレイボードを前後方向に移動させる送りローラを更に備え、
前記送りローラからインクジェットヘッドまでの距離Ｈよりも掴み代部分の幅が大きく設定されている前記ディスプレイボードを、前記プラテン上に搭載する請求項２記載のディスプレイボードプリント用のインクジェットプリンタ。
【手続補正２】
【補正対象書類名】明細書
【補正対象項目名】００１０
【補正方法】変更
【補正の内容】
【００１０】
本発明は、このような課題に鑑みてなされたもので、ペーパームービングタイプのインクジェットプリンタを用いてディスプレイボード表面に絵図又は文字をプリントした際に、前後幅の狭いプラテンの前方又は後方に突き出た厚い板状のディスプレイボードの前端部分又は後端部分の自重を受けて、そのディスプレイボードがプラテンの前方又は後方に傾き、そのディスプレイボードがプラテン上方に配置されたインクジェットヘッド下面に接触した状態となるのを防ぐことのできる、ディスプレイボードプリント用のペーパームービングタイプのインクジェットプリンタ（以下、インクジェットプリンタという）を提供することを、目的としている。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
上記の目的を達成するために、本発明のインクジェットプリンタは、本発明のディスプレイボードをプラテン上に搭載して該プラテン上を前後方向に移動させるペーパームービングタイプのインクジェットプリンタであって、そのプラテンの前方と後方とに、プラテン前方に突き出たディスプレイボードの前端部分を支持して、そのプラテン前方に突き出たディスプレイボードの前端部分の自重を受けて、プラテン上に搭載されたディスプレイボードがプラテン前方に傾くのを防ぐための第１支持腕と、プラテン後方に突き出たディスプレイボードの後端部分を支持して、そのプラテン後方に突き出たディスプレイボードの後端部分の自重を受けて、プラテン上に搭載されたディスプレイボードがプラテン後方に傾くのを防ぐための第２支持腕とが、着脱可能に備えられており、前記第１支持腕及び前記第２支持腕は、前記ディスプレイボードの前端部分及び後端部分を支持して前記ディスプレイボードが前方又は後方へ傾くのを防ぐことにより、前記プラテン上に搭載された前記ディスプレーボードの全体を、水平に支持することを特徴としている。